(57)【要約】      （修正有）【課題】各人ごとに異なる学習モデルを構築し、目標とする職業に就くために必要な有益情報を共有化し、効率よく確実に各人の目標達成の実現化を図るシステムを提供する。【解決手段】有益情報データベースサーバ装置３と、有益情報の管理業務を行なうアプリケーションサーバ装置２と、インターネットに接続するＷｅｂサーバ装置７とからなる。有益情報データベースサーバ装置３には、職業の情報を記録管理する職業情報テーブル３０と、資格の情報を記録管理する資格情報テーブル３１と、趣味の情報を記録管理する趣味情報テーブル３２と、能力・知識の情報を記録管理する能力知識情報テーブル３３、有益な情報を登録自在な有益情報データテーブル３４が備えられている。有益情報データテーブル３４に記録された有益情報は検索・照会自在であり、その検索された有益情報は取込んで共有化自在である。【選択図】図１
0003163811.tif 000002
【実用新案登録請求の範囲】
【請求項１】
端末機からの照会に応じてインターネットに接続され有益情報を共有自在なコンピュータシステムであって、
有益情報データベースサーバ装置と、有益情報の管理業務を行なうアプリケーションサーバ装置と、インターネットに接続するＷｅｂサーバ装置とからなり、前記有益情報データベースサーバ装置には、職業の情報を記録管理する職業情報テーブルと、資格の情報を記録管理する資格情報テーブルと、趣味の情報を記録管理する趣味情報テーブルと、能力・知識の情報を記録管理する能力知識情報テーブル、及び有益な情報を登録自在な有益情報データテーブルが備えられ、
前記アプリケーションサーバ装置には、有益情報データ登録手段と有益情報データ管理手段と有益情報データ取込手段が備えられ、前記有益情報データ登録手段は、端末機からの所望の有益情報の検索要求に応答して、前記職業情報テーブルに保管されている体系化された必要知識項目と、前記資格情報テーブルに保管されている体系化された必要知識項目と、前記趣味情報テーブルに保管されている体系化された必要知識項目と、前記能力知識情報テーブルに保管されている体系化された必要知識項目から選択された有益情報を、有益情報データテーブルに記録自在であって、当該有益情報データテーブルは前記有益情報データ管理手段により管理され、当該有益情報データテーブルに記録された有益情報は検索・照会自在であり、その検索された有益情報は、前記有益情報データ取込手段により取込んで共有化自在に構成されていることを特徴とする有益情報共有化システム。
【請求項２】
有益情報データベースサーバ装置には、評価の履歴の情報を記録管理する評価履歴情報テーブルが備えられ、アプリケーションサーバ装置には、有益情報評価手段が備えられており、その有益情報評価手段によって、有益情報データテーブルに記録されている有益情報が評価され、その評価履歴情報が評価履歴情報テーブルに記録管理されることを特徴とする、請求項１に記載した有益情報共有化システム。
【請求項３】
有益情報データベースサーバ装置には、日記の情報を記録管理する日記情報テーブルと、自己の分析の情報を記録管理する自己分析情報テーブルが備えられていると共に、アプリケーションサーバ装置には、日記登録手段と、自己分析手段が備えられ、前記日記登録手段によって日々の日記情報が日記情報テーブルに記録登録されると共に、必要に応じ前記日記情報は、前記自己分析手段により能力知識情報テーブルの能力・知識情報に照合した結果の情報として前記自己分析情報テーブルに記録自在に構成されていることを特徴とする、請求項１又は２に記載した有益情報共有化システム。
【請求項４】
端末機からの自己のモチベーションの数値化要求に応答して、日記情報テーブルと自己分析情報テーブルと評価履歴情報テーブルの各情報を結合させモチベーションを数値化したモチベーション数値情報が、有益情報データベースサーバ装置に備えられたモチベーション数値情報テーブルに記録され、アプリケーションサーバ装置に備えられたモチベーション分析手段によってその分析が可能に構成されていることを特徴とする、請求項１〜３のいずれか１項に記載した有益情報共有化システム。
【請求項５】
有益情報データベースサーバ装置の評価履歴情報テーブルに記録管理されている評価履歴情報が、ソーシャル・ネットワーキング・サービス機能により共有化されて再評価可能に構成されていることを特徴とする、請求項１〜４のいずれか１項に記載した有益情報共有化システム。
【請求項６】
有益情報データベースサーバ装置にアクセスする端末機は、パーソナルコンピュータ、携帯電話機、携帯ゲーム機、電子書籍端末機、自動チケット販売機を含むことを特徴とする、請求項１〜５のいずれか１項に記載した有益情報共有化システム。
【請求項７】
有益情報データベースサーバ装置に記録管理される各情報は、常に最新の情報であることを特徴とする、請求項１〜６のいずれか１項に記載した有益情報共有化システム。
【請求項８】
有益情報データベースサーバ装置に記録管理されている各情報にアクセスし、経歴書として出力自在に構成されていることを特徴とする、請求項１〜７のいずれか１項に記載した有益情報共有化システム。
【考案の詳細な説明】
【技術分野】
【０００１】
本考案は、有益情報共有化システムに関し、さらに言えば、例えば各人ごとに異なる学習モデルを構築し、将来目標とする職業に就くため等に必要な有益情報を共有化して知ることができる有益情報の共有化システムの技術分野に属するものである。
【背景技術】
【０００２】
将来自分がやりたい職業に就くためどのような学習をすればよいか、又は現在の自分のスキルレベルの把握、或いは自分が欲する情報につき他人はどのような情報をもっているか等、の情報を共有して知ることができれば有益である。情報はインターネット上に溢れているものの、自分にとって真に有益な情報を見つけ出すことは困難であり、苦労して有益な情報を入手しても持続して効率よく学習することは難しい。また、就職が困難な今日においてこそ、そのような真に有益な情報の入手は重要である。
【０００３】
ここで、前記背景の下、例えば特開２００１−３３１６３９号公報には、天気、時事情報（文字情報のみならず画像・音声も含む）、等の情報をあらかじめデータベースとして作成し、プログラムによって、日付、その日の天気、その日の時事情報等を、データベースを参照しながら日記を自動作成し、ユーザーはインターネット網を通じて作成した結果を参照する、自動日記作成システムが開示されている（請求項１）。
【先行技術文献】
【特許文献】
【０００４】
【特許文献１】特開２００１−３３１６３９公開特許公報
【考案の概要】
【考案が解決しようとする課題】
【０００５】
なるほど、前記特許文献１の自動日記作成システムによれば、日記の基本的な部分は日記作成プログラムで自動的に作成されているので、ユーザーはインターネット網を通じて気の向いた時にアクセスして、参照訂正するだけだから、ずぼらな人でも、形式的には整った日記を毎日作成することで、例えば将来自分のなりたい職業に就くまでのモチベーションを保つことはできるかもしれない。
【０００６】
しかし、その情報は、日記帳として誰もが記すような天気や時事情報等にすぎず、本来の日記をデータ化して残しておくだけなので、将来の自分にとって真に有益な情報を共有できるものではない。
【０００７】
したがって、本考案の目的は、各人ごとに異なる学習モデルを構築し、目標とする職業に就くため等に必要な有益情報を共有化して知ることができて、モチベーションを維持しつつ、効率よく確実に各人の将来の目標達成の実現化を図る有益情報共有化システムを提供することである。
【課題を解決するための手段】
【０００８】
上記課題を解決するための手段として、請求項１記載の考案の有益情報共有化システムは、端末機９からの照会に応じてインターネット６に接続され有益情報Ｙを共有自在なコンピュータシステムであって、
有益情報データベースサーバ装置３と、有益情報Ｙの管理業務を行なうアプリケーションサーバ装置２と、インターネットに接続するＷｅｂサーバ装置７とからなり、前記有益情報データベースサーバ装置３には、職業の情報を記録管理する職業情報テーブル３０と、資格の情報を記録管理する資格情報テーブル３１と、趣味の情報を記録管理する趣味情報テーブル３２と、能力・知識の情報を記録管理する能力知識情報テーブル３３、及び有益な情報Ｙを登録自在な有益情報データテーブル３４が備えられ、前記アプリケーションサーバ装置２には、有益情報データ登録手段２０と有益情報データ管理手段２１と有益情報データ取込手段２２が備えられ、前記有益情報データ登録手段２０は、端末機９からの所望の有益情報Ｙの検索要求に応答して、前記職業情報テーブル３０に保管されている体系化された必要知識項目と、前記資格情報テーブル３１に保管されている体系化された必要知識項目と、前記趣味情報テーブル３２に保管されている体系化された必要知識項目と、前記能力知識情報テーブル３３に保管されている体系化された必要知識項目から選択された有益情報Ｙを、有益情報データテーブル３４に記録自在であって、当該有益情報データテーブル３４は前記有益情報データ管理手段２１により管理され、当該有益情報データテーブル３４に記録された有益情報Ｙは検索・照会自在であり、その検索された有益情報Ｙ′は、前記有益情報データ取込手段２２により取込んで共有化自在に構成されていることを特徴とする。
【０００９】
請求項２記載の考案の有益情報共有化システムは、前記有益情報データベースサーバ装置３に、評価の履歴の情報Ｈを記録管理する評価履歴情報テーブル３５が備えられ、アプリケーションサーバ装置２には、有益情報評価手段２３が備えられており、その有益情報評価手段２３によって、有益情報データテーブル３４に記録されている有益情報Ｙが評価され、その評価履歴情報Ｈが評価履歴情報テーブル３５に記録管理されることを特徴とする。
【００１０】
請求項３記載の考案の有益情報共有化システムは、前記有益情報データベースサーバ装置３に、日記の情報Ｎを記録管理する日記情報テーブル３６と、自己の分析の情報を記録管理する自己分析情報テーブル３７が備えられていると共に、アプリケーションサーバ装置２には、日記登録手段２４と、自己分析手段２５が備えられ、前記日記登録手段２４によって日々の日記情報Ｎが日記情報テーブル３６に記録登録されると共に、必要に応じ前記日記情報Ｎは、前記自己分析手段２５により能力知識情報テーブル３３の能力・知識情報に照合した結果の情報として前記自己分析情報テーブル３７に記録自在に構成されていることを特徴とする。
【００１１】
請求項４記載の考案の有益情報共有化システムは、前記端末機９からの自己のモチベーションの数値化要求に応答して、日記情報テーブル３６と自己分析情報テーブル３７と評価履歴情報テーブル３５の各情報を結合させモチベーションを数値化したモチベーション数値情報が、有益情報データベースサーバ装置３に備えられたモチベーション数値情報テーブル３８に記録され、アプリケーションサーバ装置２に備えられたモチベーション分析手段２６によってその分析が可能に構成されていることを特徴とする。
【００１２】
請求項５記載の考案の有益情報共有化システムは、前記有益情報データベースサーバ装置３の評価履歴情報テーブル３５に記録管理されている評価履歴情報Ｈが、ソーシャル・ネットワーキング・サービス機能４により共有化されて再評価可能に構成されていることを特徴とする。
【００１３】
請求項６記載の考案の有益情報共有化システムが、前記有益情報データベースサーバ装置３にアクセスする端末機９は、パーソナルコンピュータ９０、携帯電話機９１、携帯ゲーム機９２、電子書籍端末機９３、自動チケット販売機９４を含むことを特徴とする。
【００１４】
請求項７記載の考案の有益情報共有化システムは、前記有益情報データベースサーバ装置３に記録管理される各情報が、常に最新の情報であることを特徴とする。
【００１５】
請求項８記載の考案の有益情報共有化システムは、前記有益情報データベースサーバ装置３に記録管理されている各情報にアクセスし、経歴書８として出力自在に構成されていることを特徴とする。
【考案の効果】
【００１６】
請求項１の本考案の有益情報共有化システムは、有益情報データベースサーバ装置と、アプリケーションサーバ装置と、Ｗｅｂサーバ装置とからなり、有益情報データベースサーバ装置には、職業情報テーブルと、資格情報テーブルと、趣味情報テーブルと、能力知識情報テーブル及び有益情報データテーブルが備えられ、アプリケーションサーバ装置には、有益情報データ登録手段と有益情報データ管理手段と有益情報データ取込手段が備えられ、前記有益情報データ登録手段は、端末機からの所望の有益情報の検索要求に応答して、職業情報テーブル、資格情報テーブル、趣味情報テーブル、能力知識情報テーブルにそれぞれ保管されている体系化された必要知識項目から選択された有益情報を、有益情報データテーブルに記録自在であり、有益情報データテーブルに記録された有益情報を検索・照会自在し、その検索された有益情報は有益情報データ取込手段により取込んで共有化自在なので、将来目標とする職業に就くために必要な有益情報等を共有化して効率よく知ることができる上、各人ごとに異なる学習モデルを構築して、合理的かつ確実に各人の目標達成に貢献する。
【００１７】
請求項２の本考案の有益情報共有化システムは、有益情報評価手段によって、有益情報データテーブルに記録されている有益情報が評価され、その評価履歴情報が評価履歴情報テーブルに記録管理されるので、実際に実践中の有益情報について、日々評価を行って客観視しつつ効率よく目標の達成に向って実践していくことができる。
【００１８】
請求項３の本考案の有益情報共有化システムは、日記情報テーブルと自己分析情報テーブルが備えられていると共に、日記登録手段と自己分析手段が備えられ、日記登録手段によって日々の日記情報が日記情報テーブルに記録できるので、日頃の出来事の記載に終わらず、健康、家族、恋愛、社会、お金、教育のそれぞれ観点で、日々どうだったかを自分で評価して分析し、日記を付けていくことで、向上心が芽生え、目標の達成に寄与する。
【００１９】
請求項４の本考案の有益情報共有化システムは、日記情報テーブルと自己分析情報テーブルと評価履歴情報テーブルの各情報を結合させモチベーションを数値化したモチベーション数値情報が、モチベーション数値情報テーブルに記録され、モチベーション分析手段によってその分析が可能なので、有益情報の評価や、自己分析、日記の履歴から、モチベーションを分析して表示し、目標達成の意欲を持続することができる。
【００２０】
請求項５の本考案の有益情報共有化システムは、評価履歴情報テーブルに記録管理されている評価履歴情報が、ソーシャル・ネットワーキング・サービス機能により共有化されて再評価可能であるので、グループの他の会員からの有益な評価を参考に、自己実現に向けて修正して実践することができる。
【００２１】
請求項６の本考案の有益情報共有化システムは、パーソナルコンピュータのほか、携帯電話機や携帯ゲーム機、電子書籍端末機といった日頃身近で使用している機械で、いつでもどこでも簡単に有益情報データベースサーバ装置にアクセスできる利便性もある。
【００２２】
請求項７の本考案の有益情報共有化システムは、有益情報データベースサーバ装置に記録管理される各情報が常に最新の情報であるので、法改正等にも対応した利用価値の高い有益情報を入手することができる。
【００２３】
請求項８の本考案の有益情報共有化システムは、有益情報データベースサーバ装置に記録管理されている各情報にアクセスし、経歴書等として出力自在な使い勝手にも優れている。
【考案を実施するための最良の形態】
【００２４】
本考案の有益情報共有化システムの好適な実施形態を、以下図面にしたがって説明する。なお、本請求項１〜８記載の考案に関する実施の形態は共通しているので、以下のとおり一括して説明する。
【００２５】
図１と図２は、本考案の有益情報共有化システムの基本的な構成を示している。この共有化システムは、端末機９からの照会に応じてインターネット１に接続され、有益情報Ｙを共有自在なコンピュータシステムである。
【００２６】
前記端末機９からの照会は、インターネット６に接続できる環境であればよく、後述する会員１として本人確認された後、有益情報データベースサーバ装置３にアクセス可能である。なお、前記端末機９としては、パーソナルコンピュータ９０のほか、携帯電話機９１や携帯ゲーム機９２、電子書籍端末機９３、自動チケット販売機９４を広く含むものである。
【００２７】
本システムの基本構成は、図１に示したように、学生や社会人といった会員１にとって有益な情報（本発明において「有益情報」という。）Ｙに関するデータベースを記録管理する有益情報データベースサーバ装置３と、前記有益情報Ｙの管理業務を行なうアプリケーションサーバ装置２と、インターネット６に接続するファイヤーウォールを含むＷｅｂサーバ装置７の機能ブロックから成る。これら機能ブロックは、ハードウェアとソフトウェアとの組み合せからなり、ハードウェア的にはコンピュータのＣＰＵをはじめとする各素子と、ソフトウェア的にはデータ処理機能のあるプログラムとの組み合せによって実現されている。
【００２８】
前記の有益情報データベース装置３には、職業の情報を記録管理する職業情報テーブル３０と、資格の情報を記録管理する資格情報テーブル３１と、趣味の情報を記録管理する趣味情報テーブル３２、能力・知識の情報を記録管理する能力知識情報テーブル３３、及び有益な情報Ｙを登録する有益情報データテーブル３４、並びに評価履歴情報テーブル３５が備えられている。
【００２９】
前記の職業情報テーブル３０には、各種職業の情報として、例えば、税理士、教員、栄養士、理美容関係、通訳等の各種職業に関する有益情報Ｙが記録されている。資格情報テーブル３１には、職業に就くために必要な資格の情報として、例えば、税理士試験、教員採用試験、管理栄養士試験等の資格に関する有益情報Ｙが記録されている。趣味情報テーブル３２には、趣味に関する情報として、例えば、映画、音楽、手芸、料理、旅行、スポーツ等に関する有益情報Ｙが記録されている。能力知識情報テーブル３３には、能力や知識の情報として、例えば、スキル習熟度、取得資格、コンピテンシー評価などが記録されている。
【００３０】
そして、有益情報テーブル３４には、前記職業情報テーブル３０、資格情報テーブル３１、趣味情報テーブル３２、能力知識情報テーブル３３の各テーブルから、本システムを利用する会員１が必要とする有益な情報Ｙが選択されて登録される。
【００３１】
評価履歴情報テーブル３５は、有益情報データテーブル３４に記録されている有益情報Ｙが評価され、その評価の履歴の情報Ｈを記録管理するものである。例えば、会員１が実際に実践中の有益情報Ｙについて、この評価履歴情報テーブル３５の評価履歴情報Ｈを基に、日々の再評価を行うことができる。
【００３２】
前記アプリケーションサーバ装置２には、有益情報データ登録手段２０と有益情報データ管理手段２１と有益情報データ取込手段２２、及び有益情報評価手段２３が備えられている。
【００３３】
前記の有益情報データ登録手段２０は、端末機９からの所望の有益情報Ｙの検索要求に応答して、上記の職業情報テーブル３０に保管されている体系化された必要知識項目と、資格情報テーブル３１に保管されている体系化された必要知識項目と、趣味情報テーブル３２に保管されている体系化された必要知識項目と、並びに能力知識情報テーブル３３に保管されている体系化された必要知識項目から選択された有益情報Ｙを、有益情報データテーブル３４に記録自在に構成されている。
【００３４】
有益情報データ管理手段２１は、有益情報データテーブル３４を管理するものである。
【００３５】
有益情報データ取込手段２２は、有益情報データテーブル３４に記録された有益情報Ｙを検索・照会した後の有益情報Ｙ′を取込んで有益情報の共有化自在に構成されているものである。これにより、他の会員１が登録した有益情報Ｙ′を検索して、その内容を照会することができる。
【００３６】
有益情報評価手段２３は、有益情報データテーブル３４に記録されている有益情報Ｙが評価され、その評価履歴情報Ｈを評価履歴情報テーブル３５に記録管理するものである。
【００３７】
次に、日記登録の実施形態について説明する。
【００３８】
前記の有益情報データベースサーバ装置３には、日記の情報Ｎを記録管理する日記情報テーブル３６と、自己の分析の情報を記録管理する自己分析情報テーブル３７も備えられている。また、アプリケーションサーバ装置２には、日記登録手段２４と、自己分析手段２５が備えられている。日記登録手段２４によって日々の日記情報Ｎが日記情報テーブル３６に記録登録される。そして、必要に応じ前記日記情報Ｎは、前記自己分析手段２５により能力知識情報テーブル３３の能力・知識情報に照合した結果の情報として自己分析情報テーブル３７に記録自在に構成されている。
【００３９】
また、端末機９からの自己のモチベーションの数値化要求に応答して、日記情報テーブル３６と自己分析情報テーブル３７と評価履歴情報テーブル３５の各情報を結合させモチベーションを数値化したモチベーション数値情報が、有益情報データベースサーバ装置３に備えられたモチベーション数値情報テーブル３８に記録され、アプリケーションサーバ装置２に備えられたモチベーション分析手段２６によってその分析を行うこともできる。
【００４０】
次に、本システムにおけるソーシャル・ネットワーキング・サービス機能について説明する。有益情報データベースサーバ装置３の評価履歴情報テーブル３５に記録管理されている評価履歴情報Ｈが、ソーシャル・ネットワーキング・サービス機能４により共有化されて再評価可能に構成されている。
【００４１】
具体的には、有益情報データベースサーバ装置３に、会員１の個人情報を記録管理する会員情報テーブル３ａと、グループの情報を記録管理するグループ情報テーブル３ｂが備えられている。一方、アプリケーションサーバ装置２には、ソーシャル・ネットワーキング・サービス管理手段２ａと、グループ作成手段２ｂと、会員検索手段２ｃと、有益情報評価手段２ｄが備えられている。よって、この有益情報評価手段２ｂにより、会員１相互間の有益情報Ｙが評価され履歴情報Ｈとして残る。すなわち、この有益情報評価手段２ｂにより、前記の有益情報評価手段２３のように、有益情報データテーブル３４に記録されている有益情報Ｙを評価し、その評価履歴情報Ｈを評価履歴情報テーブル３５に記録管理するものである。
【００４２】
なお、本有益情報共有化システムにおいて、有益情報データベースサーバ装置３に記録管理される各情報は、常に最新の情報として提供される。また、上記有益情報データベースサーバ装置３に記録管理されている各情報にアクセスし、経歴書８等として出力自在である。
【００４３】
以下に、上述した当該有益情報共有化システムの利用方法として、会員１が端末機９を操作して有益情報を共有する方法を中心に説明する。
【００４４】
〔１〕本システムの利用（ステップ１００、以下「Ｓ１００」のように略す。）
【００４５】
本システムを利用する者が非会員の場合は、会員登録を行い（Ｓ１０１）、その情報は会員情報データベースに登録される（Ｓ１００）。管理者側ではそのように会員登録された会員情報が管理される（Ｓ１０３）。一方、本システムを利用する者が既に登録された会員１の場合は、ＩＤとパスワードを入力してログインすると（Ｓ１０１）、その情報は会員情報データベースに登録される（Ｓ１００）。なお、会員１は自分のプロフィールを登録することができる（Ｓ１０４）。
【００４６】
〔２〕有益情報の登録（Ｓ２００）
【００４７】
会員１は、自分の目的を達成するために、いつまでに何をすべきかを中心に有益情報Ｙを登録する（Ｓ２０１）。図３Ａ、Ｂは、有益情報Ｙを登録して表示した画面Ｃを示している。例えば、「目標を達成するためにはいつまでに何をするべきか」、「こんな勉強が必要で、その次はこんな体験が必要」など、会員１がこれまでの実体験で得た有益情報Ｙを登録することができる。また、この有益情報Ｙを基に、これからの実現したい目標に対して計画を立てることができる。図３Ｂでは、例えば税理士になる場合の計画を立てるに当っての有益情報Ｙが表示されている。当該登録された有益情報Ｙは、有益情報管理手段２１によって管理される（Ｓ２０２）。
【００４８】
〔３〕有益情報の共有化（Ｓ３００）
【００４９】
会員１は、有益情報データテーブル３４から、他の会員１が登録した有益情報Ｙ′を検索・照会することができる（Ｓ３０１）。そして、この他の会員１が登録した有益情報Ｙ′を自分の情報（目標計画）として取込んで、実際に試してみることができる（Ｓ３０２）。また、そのように他の会員１から得た有益情報Ｙ′に対して、実行結果を履歴として蓄積することも可能である。図４は、他の会員１が登録した有益情報Ｙ′の一覧を表示した画面Ｄの例を示している。
【００５０】
〔４〕有益情報の評価（Ｓ４００）
【００５１】
実践した有益情報Ｙ（Ｙ′）を評価する（Ｓ４０１）。同時に、評価結果を数値化して保存する（Ｓ４００）。したがって、実際に実践中の有益情報Ｙ（Ｙ′）について毎日評価を行える。評価結果を数値化して保存すれば、分析等に使用可能である。例えば、有益情報Ｙの評価、自己分析、日記の履歴から、会員１のモチベーションを分析して表示し、過去の履歴とモチベーションを閲覧することにより、何をすればモチベーションを維持していくことができるか等の有益情報が会員１に提供可能である。図５は、日々のモチベーションを数値化して表示した画面Ｂの例を示している。
【００５２】
〔５〕日記の登録（Ｓ５００）
【００５３】
毎日つける日記のデータ（内容）を登録する（Ｓ５０１）。同時に、評価結果を数値化して保存する（Ｓ５０２）。このように、本システムにより日記を継続してつけることができる。図６は、日記の登録内容を表示した画面Ａの例を示している。当該日記では、一般的な単なる日付とコメントの日記ではなく、健康や家族、恋愛、社会、お金、教育といった観点から、日々の成果がどうであったかを自分で評価してつけていくことができる。また、自己評価によって、自分の適職などの情報を分析することができ、評価結果を数値化して保存すれば、分析等に有効である。
【００５４】
〔６〕グループでの使用（Ｓ６００）
【００５５】
所謂ソーシャル・ネットワーキング・サービスにおける実施形態が可能で、会員１・・・間でグループを作成し（Ｓ６０１）、グループに取込む会員１を検索する（Ｓ６０２）。そして、グループ内の他の会員１が実践した有益情報Ｙを評価する（Ｓ６０３）。同時に評価結果を数値化して保存する（Ｓ４００）。
【００５６】
〔７〕経歴書の照会・出力（Ｓ７００）
【００５７】
プロフィールや有益情報Ｙの履歴から、今までの経歴を照会する（Ｓ７０１）。照会した経歴を、ＰＤＦ形式でダウンロードし、経歴書８として使用することができる（Ｓ７０２）。図７は、経歴書８を作成するに当って検索し表示した画面Ｅの例を示している。
【図面の簡単な説明】
【００５８】
【図１】本考案の有益情報共有化システムの構成ブロック図を含む説明図である。
【００５９】
【図２】本有益情報共有化システムの機能を含む構成を示した説明図である。
【００６０】
【図３】Ａ、Ｂは有益情報の登録画面の一実施形態を示した説明図である。
【００６１】
【図４】有益情報の共有化画面の一実施形態を示した説明図である。
【００６２】
【図５】有益情報の評価画面の一実施形態を示した説明図である。
【００６３】
【図６】日記の登録画面の一実施形態を示した説明図である。
【００６４】
【図７】経歴書の表示画面の一実施形態を示した説明図である。
【符号の説明】
【００６５】
Ｙ、Ｙ′有益情報
Ｈ      評価履歴情報
Ｎ      日記情報
２      アプリケーションサーバ装置
２０    有益情報データ登録手段
２１    有益情報データ管理手段
２２    有益情報データ取込手段
２３    有益情報評価手段
２４    日記登録手段
２５    自己分析手段
２６    モチベーション分析手段
３      有益情報データベースサーバ装置
３０    職業情報テーブル
３１    資格情報テーブル
３２    趣味情報テーブル
３３    能力知識情報テーブル
３４    有益情報データテーブル
３５    評価履歴情報テーブル
３６    日記情報テーブル
３７    自己分析情報テーブル
３８    モチベーション数値情報テーブル
６      インターネット
７      Ｗｅｂサーバ装置
８      経歴書
９      端末機
９０    パーソナルコンピュータ
９１    携帯電話機
９２    携帯ゲーム機
９３    電子書籍端末機
９４    自動チケット販売機
【図１】
0003163811.tif 000003
【図２】
0003163811.tif 000004
【図３】
0003163811.tif 000005
【図４】
0003163811.tif 000006
【図５】
0003163811.tif 000007
【図６】
0003163811.tif 000008
【図７】
0003163811.tif 000009